【事件の表示】
　商願２０１２−　７１１８４拒絶査定不服審判事件について、次のとおり審決する。
【結　論】
　本件審判の請求は、成り立たない。
【理　由】
１　本願商標
　本願商標は、「松阪牛革」の文字を標準文字で表してなり、第１４類、１８類及び第２５類に属する願書に記載されたとおりの商品を指定商品として、平成２４年９月３日に登録出願され、その後指定商品については、当審における同２６年５月２３日付けの手続補正書により第１４類「松阪地域で肥育された牛の革を使用した皮革製キーホルダー，松阪地域で肥育された牛の革を使用した皮革製記念たて，松阪地域で肥育された牛の革を使用した皮革製身飾品，松阪地域で肥育された牛の革を使用した皮革製時計バンド」、第１８類「松阪地域で肥育された牛の革を使用した皮革製包装用容器，松阪地域で肥育された牛の革を使用した皮革製かばん類，松阪地域で肥育された牛の革を使用した皮革製袋物，松阪地域で肥育された牛の革を使用した皮革」及び第２５類「松阪地域で肥育された牛の革を使用した皮革製コート，その他の松阪地域で肥育された牛の革を使用した皮革製被服，松阪地域で肥育された牛の革を使用した皮革製バンド，松阪地域で肥育された牛の革を使用した皮革製ベルト，松阪地域で肥育された牛の革を使用した皮革製靴」に補正されたものである。
　
２　原査定の拒絶の理由（要点）
　原査定は、「本願商標は、『松阪牛革』の文字を書してなるところ、その構成文字から容易に『松阪牛の革を使用した商品』を認識させるものであって、本願の指定商品との関係において、商品の品質を表示したものと認識されるものであるから、本願商標は、自他商品の識別標識としての機能を果たし得ないものというのが相当である。したがって、本願商標は，商標法第３条第１項第３号に該当し、『松阪牛の革を使用しない商品』に使用するときは、商品の品質の誤認を生じさせるおそれがあるので、商標法第４条第１項第１６号に該当する。」旨認定、判断し、本願を拒絶したものである。
 
３　当審における手続の経緯
（１）平成２６年２月１２日付け拒絶理由通知（要旨）
　審判長は、「本願の指定商品は、その内容及び範囲を明確に指定したものとはいえない。商標法第６条第１項の要件を具備しない。」旨通知した。
　これに対し、請求人は、同年５月２３日付け手続補正書により、指定商品を上記１のとおり補正した結果、この拒絶の理由は解消した。
（２）平成２６年２月１２日付け審尋（要旨）　
　審判長は、追加の証拠を提示し、「本願商標は、商標法第３条第１項第３号に該当する。また、提出された証拠からは、請求人は、本願商標を使用しているとは認めることができないことから、本願商標は、商標法第３条第２項に該当するとはいえない。」旨の審尋を発した。　
　これに対し、請求人は、同年５月２３日付けの意見書により、「本願商標は、使用をされた結果、需要者が何人かの業務に係る商品であることできるに至ったものである。」旨主張し、同年７月１日付け手続補正書により、証拠を追加提出した。
　
４　当審の判断
（１）商標法第３条第１項第３号について　 
　本願商標は、「松阪牛革」の文字を標準文字で表してなるところ、牛には、肥育された地域の名称を冠した「○○牛」（○○は地名。）と称するものが多数存在し、また、これらの牛の革が「○○牛革」（○○は地名。）と称され、各種の革製品に使用されていることが認められる（当審における審尋で提示した証拠 別掲）。
　これらの事実からすれば、「松阪牛革」の文字は、「松阪地域で肥育された牛の革」であることを表示するものとして、取引者、需要者に認識されるとみるのが相当である。 
　そして、本願の指定商品は、いずれも「松阪地域で肥育された牛の革」を使用した皮革及び皮製品である。 
　そうとすると、「松阪牛革」の文字からなる本願商標は、これをその指定商品に使用するときは、これに接する取引者、需要者は、本願商標を「松阪地域で肥育された牛の革」であるという商品の産地、品質又は原材料を表示したものと認識するにすぎず、自他商品の識別標識としての機能を果たし得ないものというべきである。 
　したがって、本願商標は、商標法第３条第１項第３号に該当するものである。 
（２）商標法第３条第２項について
　ア　請求人は、本願商標「松阪牛革」は、使用をされた結果、需要者が何人かの業務に係る商品であることを認識することができるものであるから、本願商標は、商標法第３条第２項により登録を受けることができる旨主張し、証拠方法として、資料３ないし資料９（枝番号を含む。）を提出している。
　ところで、出願に係る商標が、商標法第３条第２項に該当し、登録が認められるかどうかは、使用に係る商標及び商品、商標の使用開始時期、使用期間及び使用地域、当該商品の販売数量等並びに広告宣伝の方法及び回数等を総合考慮して、出願に係る商標が使用をされた結果、需要者が何人かの業務に係る商品であることを認識することができるものと認められるかどうかによって決すべきものであり、その場合に、出願に係る商標及びその指定商品は，原則として使用に係る商標及び商品と同一であることを要するものというべきである。
　そこで、以上の観点を踏まえて、本願商標が商標法第３条第２項の要件を具備するか否かについて、請求人の提出した証拠及び主張を検討する。　 
　（ア）請求人（株式会社三重県松阪食肉公社）は、三重県、農畜産業振興機構及び中南勢地域内７市１０町並びに３農協連、１０農協及び食肉関係業界１３団体の４５事業体で構成され、松阪地域で肥育された牛（いわゆる「松阪牛」）の個体識別管理を行う株式会社であるところ、請求人は、２００５年に、株式会社バンビと共同して、松阪地域で肥育され、請求人が個体識別管理などを行う牛の革を使用した時計バンド「ＳＡＴＯＬＩ（さとり）」の販売を開始した（資料３、４、５、８）。
　そして、平成１７年５月２５日付けの伊勢新聞、ＤＩＭＥ（５／１９ ２００５）によれば、松阪地域で肥育された牛の皮を使った時計バンドが「ＳＡＴＯＬＩ」として販売されていること、そのベルトに「ＭＡＴＳＵＳＡＫＡ　ＬＥＡＴＨＥＲ」の文字と個体識別番号が表示されていることが確認できる（資料５）。
　（イ）資料９−２は、「松阪まるよし」の「松阪牛　牛革（レザー）」と題するウェブページであるところ、そのページのトップの位置に掲載された写真には、「ＳＡＴＯＬＩ」の文字が大きく顕著に表され、その文字の上に「艶と風格の松阪牛レザー小物」と記載され、これらの文字の右側に、４個の革製品と包装用の箱が表示されている。そして、その革製品の包装用の箱には、デザイン化された「さとり」の文字と「ＳＡＴＯＬＩ」の文字を上下二段に表し、その下に小さく「ＭＡＴＳＵＳＡＫＡ ＬＥＡＴＨＥＲ ＢＹ ＢＡＭＢＩ」の文字が表示されていることが確認できる。
　（ウ）資料９−３は、「宝生堂」のウェブページであるところ、これには、「松阪牛のレザーを使用した使い込むほどに味が出る『ＳＡＴＯＬＩ』」の表題と、その下に６個の革製品が写された写真が表示され、同写真中の右上にデザイン化された「さとり」の文字と「ＳＡＴＯＬＩ」の文字を上下二段に表し、その下に小さく「ＭＡＴＳＵＳＡＫＡ ＬＥＡＴＨＥＲ ＢＹ ＢＡＭＢＩ」の文字が表示されている。
　（エ）資料９−４は、「ジュエリー、宝石と時計の専門店内山」の「松阪牛革の時計バンド、さとり／悟」との表題のあるウェブページには、デザイン化された「さとり」の文字、「ＭＡＴＳＵＳＡＫＡ／ＬＥＡＴＨＥＲ」、「究極の素材『松阪牛革』を使用した高級時計バンド」等の文字とともに、時計バンドの写真が表示されている。
　（オ）資料９−５は、「シチズン」のウェブページであるところ、「付属品のカーフバンドは松阪牛革を使用」の文字とともに、時計バンドの写真が表示されている。
　イ　前記アのとおり、請求人は、２００５年に、株式会社バンビと共同して、松阪地域で肥育され、請求人が個体識別管理を行う牛の革を使用した時計バンドの販売を開始し、その後、時計バンドに加え、同素材を使用した財布及び名刺入れ（以下「使用商品」という。）を販売していること、そして、請求人は、使用商品のウェブページにおける広告や包装用の箱に「ＳＡＴＯＬＩ」又はデザイン化された「さとり」の文字を商標として使用していることが認められる。
　しかしながら、使用商品についての「松阪牛革」の文字の使用をみると、そのほとんどが単に商品の原材料を表示又は説明する語として使用されているにすぎないものである。
　そして、そのうちの資料９−２「松阪まるよし」のウェブページに、「松阪牛革ＳＡＴＯＬＩ　ラウンドファスナー（長財布）」として紹介されているものがあるが、これには、その直下に【素材】「松阪牛革」と表示され、かつ、該ウェブページの冒頭には、「ＳＡＴＯＬＩ」と大きな文字で表示されていることから、「松阪牛革ＳＡＴＯＬＩ」の表示に接する需要者は、これから「ＳＡＴＯＬＩ」の部分を抽出し、商標として認識することはあるとしても、「松阪牛革」の部分のみを商標として認識するとはいい難い。
　よって、請求人は、出願に係る商標と同一の商標を使用商品に使用しているということはできない。
　また、仮に、使用商品について、出願に係る商標と同一の商標を使用していることが認められるとしても、使用商品は本願の指定商品の一部であって、出願に係る指定商品と使用に係る商品が同一であるということもできない。
　そうすると、本願商標は、その指定商品に使用をされた結果、需要者が何人かの業務に係る商品であることを認識することができるに至っているものとはいえない。
　したがって、本願商標は、商標法第３条第２項の要件を具備するものということはできない。
（３）むすび
　以上のとおり、本願商標は、商標法第３条第１項第３号に該当し、かつ、同法第３条第２項の要件を具備するものではないから、登録することができない。 
　よって、結論のとおり審決する。